【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
投影装置とネットワークを介して接続し、投影システムの一部として動作する情報処理装置であって、
前記情報処理装置のディスプレイに表示される画像を、投影画像として前記投影装置に送信するよう制御する送信制御手段と、
前記投影システムに関するパラメータを投影する指示を検知する検知手段と、を備え、
前記検知手段により前記指示が検知された場合、前記送信制御手段は、前記投影装置により投影される投影レイアウトを所定のレイアウトに変更する指示を送信するとともに、前記投影システムに関するパラメータを示す画像を投影画像として送信するよう制御することを特徴とする情報処理装置。
【請求項２】
前記ネットワーク上の装置のうち、少なくとも１つの投影装置とグループを形成するグルーピング手段をさらに有し、
前記投影システムに関するパラメータは、前記グルーピング手段により形成したグループの識別子を含むことを特徴とする請求項１に記載の情報処理装置。
【請求項３】
前記投影システムに関するパラメータは、前記投影装置の識別子を含むことを特徴とする請求項１または２に記載の情報処理装置。
【請求項４】
前記投影装置の識別子は、前記投影装置のＩＰアドレスを含むことを特徴とする請求項３に記載の情報処理装置。
【請求項５】
前記投影システムに関するパラメータは、他の情報処理装置または他の投影装置が、前記投影システムの一部として動作するために用いられることを特徴とする請求項１乃至４のいずれか１項に記載の情報処理装置。
【請求項６】
前記投影システムに関するパラメータを示す画像及び前記投影レイアウトを所定のレイアウトに変更する指示を送信した後、前記検知手段により前記投影システムに関するパラメータの投影を停止する指示を検知した場合、前記送信制御手段は前記投影レイアウトを、前記所定のレイアウトに変更する前のレイアウトに変更する指示を送信するよう制御することを特徴とする請求項１乃至５のいずれか１項に記載の情報処理装置。
【請求項７】
前記投影システムを制御するための制御画面を表示するよう制御する表示制御手段をさらに有し、
前記制御画面は、前記投影システムに関するパラメータを投影する指示を受け付ける第１の指示アイテムを含むことを特徴とする請求項１乃至６のいずれか１項に記載の情報処理装置。
【請求項８】
前記制御画面は、前記投影システムに関するパラメータの投影を停止する指示を受け付ける第２の指示アイテムを含むことを特徴とする請求項７に記載の情報処理装置。
【請求項９】
前記制御画面は、前記投影装置における前記投影レイアウトの状態を示す領域を含むことを特徴とする請求項７または８に記載の情報処理装置。
【請求項１０】
前記投影システムに関するパラメータを示す画像が前記投影装置に送信された場合、前記表示制御手段は、前記投影システムに関するパラメータの表示中であることを表示するよう制御することを特徴とする請求項７乃至９のいずれか１項に記載の情報処理装置。
【請求項１１】
前記投影システムに関するパラメータを示す画像を生成する生成手段をさらに有する請求項１乃至１０のいずれか１項に記載の情報処理装置。
【請求項１２】
前記検知手段により前記指示が検知された場合、前記送信制御手段は、前記投影装置により投影される投影レイアウトを所定のレイアウトに変更する指示を送信し、前記指示が前記投影装置に受信された後、前記投影システムに関するパラメータを示す画像を投影画像として送信するよう制御することを特徴とする請求項１乃至１１のいずれか１項に記載の情報処理装置。
【請求項１３】
前記検知手段により前記指示が検知された場合、前記送信制御手段はさらに、前記投影レイアウトを所定のレイアウトに変更した後に、前記投影システムに関するパラメータを示す画像を表示させる指示を送信することを特徴とする請求項１乃至１１のいずれか１項に記載の情報処理装置。
【請求項１４】
前記所定のレイアウトは、前記情報処理装置が送信する画像が前記投影装置が投影する画面全体に投影されるレイアウトであることを特徴とする請求項１乃至１３のいずれか１項に記載の情報処理装置。
【請求項１５】
前記投影装置から、前記投影レイアウトを示すレイアウト情報を受信するよう制御する受信制御手段をさらに有し、
前記レイアウト情報が前記所定のレイアウトを示す場合、前記送信制御手段は前記投影レイアウトを前記所定のレイアウトに変更する指示を送信しないよう制御することを特徴とする請求項１乃至１４のいずれか１項に記載の情報処理装置。
【請求項１６】
投影装置とネットワークを介して接続し、投影システムの一部として動作する情報処理装置の制御方法であって、
前記情報処理装置のディスプレイに表示される画像を、投影画像として前記投影装置に送信するよう制御する送信制御工程と、
前記投影システムに関するパラメータを投影する指示を検知する検知工程と、を有し、
前記検知工程で前記指示が検知された場合、前記送信制御工程では、前記投影装置により投影される投影レイアウトを所定のレイアウトに変更する指示を送信するとともに、前記投影システムに関するパラメータを示す画像を投影画像として送信するよう制御することを特徴とする情報処理装置の制御方法。
【請求項１７】
コンピュータを、請求項１乃至１５のいずれか１項に記載された情報処理装置の各手段として機能させるためのプログラム。
【請求項１８】
請求項１乃至１５のいずれか１項に記載された情報処理装置の各手段としてコンピュータを機能させるためのプログラムを格納した記憶媒体。
【手続補正２】
【補正対象書類名】明細書
【補正対象項目名】発明の名称
【補正方法】変更
【補正の内容】
【発明の名称】情報処理装置及びその制御方法
【手続補正３】
【補正対象書類名】明細書
【補正対象項目名】０００５
【補正方法】変更
【補正の内容】
【０００５】
画像伝送システムを実現する為には、例えばＰＣとプロジェクタ間を予めグループ化し、通信を確立しておく必要がある。しかしながら、所望のグループにＰＣが参加しようとした際には、そのＰＣのユーザは、そのグループに参加する為の情報を知っておく必要がある。一般に、そのような情報は、特定のファイルに記録されていたり、紙などの記録媒体に記載されていたりしており、ユーザがその情報にアクセスするのに手間がかかる。
【手続補正４】
【補正対象書類名】明細書
【補正対象項目名】０００６
【補正方法】変更
【補正の内容】
【０００６】
本発明は、上記の課題に鑑みてなされたものであり、所望の画像伝送グループにＰＣが参加する際に、そのＰＣのユーザが参加したいグループの情報を容易に認識できるようにすることを目的とする。
【手続補正５】
【補正対象書類名】明細書
【補正対象項目名】０００７
【補正方法】変更
【補正の内容】
【０００７】
上記目的を達成するための本発明の一態様による本発明の情報処理装置は以下の構成を備える。すなわち、
投影装置とネットワークを介して接続し、投影システムの一部として動作する情報処理装置であって、
前記情報処理装置のディスプレイに表示される画像を、投影画像として前記投影装置に送信するよう制御する送信制御手段と、
前記投影システムに関するパラメータを投影する指示を検知する検知手段と、を備え、
前記検知手段により前記指示が検知された場合、前記送信制御手段は、前記投影装置により投影される投影レイアウトを所定のレイアウトに変更する指示を送信するとともに、前記投影システムに関するパラメータを示す画像を投影画像として送信するよう制御する。
【手続補正６】
【補正対象書類名】明細書
【補正対象項目名】０００８
【補正方法】変更
【補正の内容】
【０００８】
本発明によれば、所望の画像伝送グループにＰＣが参加する際に、そのＰＣのユーザが参加したいグループの情報を容易に認識できるようになる。